(57)【要約】【課題】無線端末が同地域内で行われている通話をモニタしたい場合は複数のチャネル対応した無線機を準備するか、順次切り替え操作をしながらモニタを行う必要がある。【解決手段】予め設定された通信チャネルを選択して受信動作を行う無線端末は、チャネルスキャンを行うためのスキャンモードを有し、チャネルスキャンの実行でチャネルリストに従って受信チャネルを変更してフレーム受信処理によって通信が行われているか否か、チャネルが音声通信であるか否かを判別し、音声通信の場合は音声を出力し、フレーム受信処理によって通信が行われていない場合又は音声通信でない場合は、再度チャネルリストに従って受信チャネルを変更してチャネルスキャンを繰り返す。【選択図】  図２
2014093596.tif 000002
【特許請求の範囲】
【請求項１】
予め設定された通信チャネルを選択して受信動作を行う無線端末であって、
前記無線端末は、チャネルスキャンを行うためのスキャンモードを有し、
チャネルスキャンの実行指示がなされると予め設定されたチャネルリストに従って受信チャネルを変更してフレーム受信処理を行い、
前記フレーム受信処理によって現在のチャネルにおいて通信が行われているか否かを判断し、
当該判断結果において通信が行われている場合には当該通信が行われているチャネルが音声通信であるか否かを判別し、
当該判別結果が音声通信である場合には受信した音声を出力し、
前記フレーム受信処理によって通信が行われていない場合又は通信が行われている当該通信が音声通信でない場合は、再度チャネルリストに従って受信チャネルを変更してチャネルスキャンを繰り返す
ことを特徴とする無線端末。
【請求項２】
請求項１記載の無線端末であって、
スキャンしたチャネルが音声通信であり受信した音声を出力しているチャネルにおいて、
当該チャネルの通信が終了した場合には、再度チャネルリストに従って受信チャネルを変更してチャネルスキャンを再開する
ことを特徴とする無線端末。
【請求項３】
請求項２記載の無線端末であって、
スキャンしたチャネルが音声通信であり受信した音声を出力しているチャネルにおいて、
当該チャネルの通信が終了しない場合でも、
再度チャネルリストに従って受信チャネルを変更してチャネルスキャンを再開する
ことを特徴とする無線端末。
【請求項４】
請求項２記載の無線端末であって、
スキャンしたチャネルが音声通信であり受信した音声を出力しているチャネルにおいて、スキャンモード停止の指示がなされると、現在のチャネルを維持したままでスキャンモードを停止する
ことを特徴とする無線端末。
【請求項５】
請求項１記載の無線端末であって、
スキャンしたチャネルが音声通信であり受信した音声を出力しているチャネルにおいて、
当該チャネルの通信が終了した時には、当該チャネルで通信の待ち受けを継続する
ことを特徴とする無線端末。
【請求項６】
請求項１記載の無線端末であって、
スキャンしたチャネルが音声通信であり受信した音声を出力しているチャネルにおいて、
当該チャネルの通信が終了した場合には、再度チャネルリストに従って受信チャネルを変更してチャネルスキャンを再開するスキャンモードと、
当該チャネルの通信が終了した時には、当該チャネルで通信の待ち受けを継続するスキャンモードの、２つのモードを選択可能な
ことを特徴とする無線端末。
【請求項７】
請求項１乃至請求項６記載の無線端末であって、
異なる周波数を受信可能な複数の無線部を有し、
前記スキャンモードの実行指示がなされると前記無線部のそれぞれが予め設定されたチャネルリストに従って受信チャネルを変更してチャネルスキャンを実行する
ことを特徴とする無線端末。
【発明の詳細な説明】
【技術分野】
【０００１】
本発明はデジタル無線通信システムにおける移動局無線機に関し、特にＳＣＰＣ（Ｓｉｎｇｌｅ  Ｃｈａｎｎｅｌ  Ｐｅｒ  Ｃａｒｒｉｅｒ）方式の無線端末に関するものである。
【背景技術】
【０００２】
陸上移動通信用デジタル無線端末において、現在実用化されているデジタル無線システムとして、社団法人電波産業会が策定したＡＲＩＢ  ＳＴＤ−Ｔ６１（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ  Ｓｔａｎｄａｒｄ‐Ｔ６１：非特許文献１）にて定められている狭帯域デジタル通信システム等がある。
【０００３】
先行技術文献としては、特開２００９−２００９５２号公報（特許文献１）等が挙げられる。
【先行技術文献】
【特許文献】
【０００４】
【特許文献１】特開２００９−２００９５２号公報
【非特許文献】
【０００５】
【非特許文献１】ＡＲＩＢ  ＳＴＤ−Ｔ６１
【発明の概要】
【発明が解決しようとする課題】
【０００６】
無線端末が同地域内で行われている通話をモニタしたい場合は複数のチャネル対応した無線機を準備するか、順次切り替え操作をしながらモニタを行う必要がある。
【０００７】
また、デジタル無線通信システムでは移動局等の無線端末において同期がとれた場合でもそのチャネルで音声通話が実施されていない場合がある。そのため同期捕捉以外で音声通話を捕捉したかどうか判定する必要がある。
【課題を解決するための手段】
【０００８】
本発明の無線端末は、予め設定された通信チャネルを選択して受信動作を行う無線端末であって、無線端末がチャネルスキャンを行うためのスキャンモードを有し、チャネルスキャンの実行指示がなされると予め設定されたチャネルリストに従って受信チャネルを変更してフレーム受信処理を行い、フレーム受信処理によって現在のチャネルにおいて通信が行われているか否かを判断し、判断結果において通信が行われている場合には通信が行われているチャネルが音声通信であるか否かを判別し、判別結果が音声通信である場合には受信した音声を出力し、フレーム受信処理によって通信が行われていない場合又は通信が行われている通信が音声通信でない場合は、再度チャネルリストに従って受信チャネルを変更してチャネルスキャンを繰り返すことを特徴とする。
【０００９】
本発明の無線端末は、予め設定された通信チャネルを選択して受信動作を行う無線端末であって、無線端末がチャネルスキャンを行うためのスキャンモードを有し、チャネルスキャンの実行指示がなされると予め設定されたチャネルリストに従って受信チャネルを変更してフレーム受信処理を行い、フレーム受信処理によって現在のチャネルにおいて通信が行われているか否かを判断し、判断結果において通信が行われている場合には通信が行われているチャネルが音声通信であるか否かを判別し、判別結果が音声通信である場合には受信した音声を出力し、フレーム受信処理によって通信が行われていない場合又は通信が行われている通信が音声通信でない場合は、再度チャネルリストに従って受信チャネルを変更してチャネルスキャンを繰り返し、スキャンしたチャネルが音声通信であり受信した音声を出力しているチャネルにおいて当該チャネルの通信が終了した場合には再度チャネルリストに従って受信チャネルを変更してチャネルスキャンを再開することを特徴とする。
【００１０】
本発明の無線端末は、予め設定された通信チャネルを選択して受信動作を行う無線端末であって、無線端末がチャネルスキャンを行うためのスキャンモードを有し、チャネルスキャンの実行指示がなされると予め設定されたチャネルリストに従って受信チャネルを変更してフレーム受信処理を行い、フレーム受信処理によって現在のチャネルにおいて通信が行われているか否かを判断し、判断結果において通信が行われている場合には通信が行われているチャネルが音声通信であるか否かを判別し、判別結果が音声通信である場合には受信した音声を出力し、フレーム受信処理によって通信が行われていない場合又は通信が行われている通信が音声通信でない場合は、再度チャネルリストに従って受信チャネルを変更してチャネルスキャンを繰り返し、スキャンしたチャネルが音声通信であり受信した音声を出力しているチャネルにおいて当該チャネルの通信が終了した場合には再度チャネルリストに従って受信チャネルを変更してチャネルスキャンを再開し、スキャンしたチャネルが音声通信であり受信した音声を出力しているチャネルにおいて  当該チャネルの通信が終了しない場合でも再度チャネルリストに従って受信チャネルを変更してチャネルスキャンを再開することを特徴とする。
【００１１】
本発明の無線端末は、予め設定された通信チャネルを選択して受信動作を行う無線端末であって、無線端末がチャネルスキャンを行うためのスキャンモードを有し、チャネルスキャンの実行指示がなされると予め設定されたチャネルリストに従って受信チャネルを変更してフレーム受信処理を行い、フレーム受信処理によって現在のチャネルにおいて通信が行われているか否かを判断し、判断結果において通信が行われている場合には通信が行われているチャネルが音声通信であるか否かを判別し、判別結果が音声通信である場合には受信した音声を出力し、フレーム受信処理によって通信が行われていない場合又は通信が行われている通信が音声通信でない場合は、再度チャネルリストに従って受信チャネルを変更してチャネルスキャンを繰り返し、スキャンしたチャネルが音声通信であり受信した音声を出力しているチャネルにおいて当該チャネルの通信が終了した場合には再度チャネルリストに従って受信チャネルを変更してチャネルスキャンを再開し、スキャンしたチャネルが音声通信であり受信した音声を出力しているチャネルにおいてスキャンモード停止の指示がなされると、現在のチャネルを維持したままでスキャンモードを停止することを特徴とする。
【００１２】
本発明の無線端末は、予め設定された通信チャネルを選択して受信動作を行う無線端末であって、無線端末がチャネルスキャンを行うためのスキャンモードを有し、チャネルスキャンの実行指示がなされると予め設定されたチャネルリストに従って受信チャネルを変更してフレーム受信処理を行い、フレーム受信処理によって現在のチャネルにおいて通信が行われているか否かを判断し、判断結果において通信が行われている場合には通信が行われているチャネルが音声通信であるか否かを判別し、判別結果が音声通信である場合には受信した音声を出力し、フレーム受信処理によって通信が行われていない場合又は通信が行われている通信が音声通信でない場合は、再度チャネルリストに従って受信チャネルを変更してチャネルスキャンを繰り返し、スキャンしたチャネルが音声通信であり受信した音声を出力しているチャネルにおいてチャネルの通信が終了した時にはチャネルで通信の待ち受けを継続することを特徴とする。
【００１３】
本発明の無線端末は、予め設定された通信チャネルを選択して受信動作を行う無線端末であって、無線端末がチャネルスキャンを行うためのスキャンモードを有し、チャネルスキャンの実行指示がなされると予め設定されたチャネルリストに従って受信チャネルを変更してフレーム受信処理を行い、フレーム受信処理によって現在のチャネルにおいて通信が行われているか否かを判断し、判断結果において通信が行われている場合には通信が行われているチャネルが音声通信であるか否かを判別し、判別結果が音声通信である場合には受信した音声を出力し、フレーム受信処理によって通信が行われていない場合又は通信が行われている通信が音声通信でない場合は、再度チャネルリストに従って受信チャネルを変更してチャネルスキャンを繰り返し、スキャンしたチャネルが音声通信であり受信した音声を出力しているチャネルにおいてチャネルの通信が終了した場合には再度チャネルリストに従って受信チャネルを変更してチャネルスキャンを再開するスキャンモードと当該チャネルの通信が終了した時には当該チャネルで通信の待ち受けを継続するスキャンモードの２つのモードを選択可能なことを特徴とする。
【００１４】
本発明の上述の無線端末は、異なる周波数を受信可能な複数の無線部を有し、スキャンモードの実行指示がなされると無線部のそれぞれが予め設定されたチャネルリストに従って受信チャネルを変更してチャネルスキャンを実行することを特徴とする。
【発明の効果】
【００１５】
本発明によれば、移動局が置かれる環境（常送基地局傘下、非常送基地局傘下、圏外など）に関わらずチャネルスキャンすることが可能となる。
【００１６】
また、本発明によれば、無線端末が複数の周波数で運用されている地域において、スキャンにより捕捉した通話が終了した時点でスキャンを再開することにより、同地域で異なる周波数で通話が行われた場合でも再度スキャンによる通話のモニタが可能となる。さらに定期的な通信が行われることが予想される周波数にはタイムアウト時間を設け通話の終了を待たずにスキャンを再開するため、他の周波数で行われる通話を聞き逃す可能性が低くなる。
【図面の簡単な説明】
【００１７】
【図１】デジタル無線システムの構成例を示す図である。
【図２】本発明の一実施例に係る無線端末である移動局の構成を説明するためのブロック図である。
【図３】本発明の一実施例に係る無線端末のチャネルスキャンを説明するための状態遷移図である。
【図４】本発明の一実施例に係る無線端末のチャネルスキャンの動作を説明するためのフローチャートである。
【図５】本発明の一実施例に係る無線端末の表示部に表示内容を説明するための表示図である。
【図６】本発明の一実施例に係る無線端末の物理無線チャネル構成を説明するための図である。
【図７】本発明の一実施例に係る無線端末の通信用チャネル信号フォーマットを説明するための図である。
【図８】本発明の一実施例に係る無線端末のＲＩＣＨ構成例を説明するための図である。
【図９】本発明の一実施例に係る無線端末の同期バーストの信号フォーマットおよびＰＩＣＨ構成例を説明するための図である。
【図１０】本発明の他の一実施例に係る無線端末のチャネルスキャンを説明するための状態遷移図である。
【図１１】本発明の他の一実施例に係る無線端末の識別情報を説明するための図である。
【図１２】本発明の一実施例に係る無線端末のチャネルスキャンの動作を説明するためのフローチャートである。
【発明を実施するための形態】
【００１８】
本発明の一実施例を図で説明する。
例えば、ＡＲＩＢ  ＳＴＤ−Ｔ６１（非特許文献１参照）で示されるようなＳＣＰＣデジタル移動通信システムは、一事業体を基本単位として、統制局設備、基地局設備、固定局設備及び移動局設備で構成され、統制局と移動局装置（又は、固定局装置）との間で通信が行われ、或いは、移動局装置（又は、固定局装置）と移動局装置（又は、固定局装置）との間で、基地局装置を経由して又は直接に、通信が行われる。
【００１９】
図１には、このようなデジタル無線システムの概略的な構成例を示してある。
統制局１０１には、複数（本例では、複数であるｎ個）の統制台（又は、内線電話等）１１１−１〜１１１−ｎ、これらと接続された制御装置１１２、制御装置１１２に接続された無線装置１１３、無線装置１１３の受信（Ｒｘ）アンテナ１１４及び送信（Ｔｘ）アンテナ１１５が設けられている。
ここで、制御装置１１２、無線装置１１３、受信アンテナ１１４及び送信アンテナ１１５から基地局装置が構成されており、また、基地局装置の通信領域（基地ゾーン）１１６が示されている。
また、複数の車載用の無線端末である移動局装置１２１−１〜１２１−５、複数の携帯用の無線端末である移動局装置１２２−１〜１２２−３が示されている。
【００２０】
チャネルの構成としては、基地局装置の下り無線キャリアでは周波数ｆ１が使用され、基地局装置の上り無線キャリアでは周波数ｆ２が使用され、移動局装置間での直接通信用キャリアでは周波数ｆ３が使用される。ここで、各周波数ｆ１、ｆ２、ｆ３は、例えば、それぞれ異なる周波数である。
なお、基地局装置（統制局１０１）から移動局装置（固定局装置でもよい）への通信が下りの通信であり、移動局装置（固定局装置でもよい）から基地局装置（統制局１０１）への通信が上りの通信である。
【００２１】
図２は、本発明の一実施例に係る無線端末である移動局の構成を説明するためのブロック図である。
図２において、無線端末２００は、制御部２０１、ＤＳＰ（Ｄｉｇｉｔａｌ  Ｓｉｇｎａｌ  Ｐｒｏｃｅｓｓｏｒ）部２０２、送信部２０３、受信部２０４，２０５、共用機２０６、アンテナ２０７、音声符号化／復号化デバイス部２０８、切替部２０９，２１２，２１４、スピーカ２１０、減衰部２１１、ハンドセット２１７、表示部２１８で構成される。
【００２２】
ハンドセット２１７は、レシーバ２１３、マイク２１５、ＰＴＴ（Ｐｕｓｈ  Ｔｏ  Ｔａｌｋ）２１６で構成される。
制御部２０１は、無線端末２００内の制御を行うＣＰＵ（Ｃｅｎｔｒａｌ  Ｐｒｏｃｅｓｓｉｎｇ  Ｕｎｉｔ）等である。
無線端末２００は、１つの送信部２０３と、２つの受信部２０４，２０５が送受信の共用機２０６を介してアンテナ２０７と接続されている。２つの受信部２０４，２０５があるため、基地局波と直接波の同時受信が可能である。
制御部は、２つの受信部２０４，２０５があるため、受信部毎にチャネル探索を同時に行うことができる。
【００２３】
ＤＳＰ部２０２は無線信号の信号処理を行う。音声符号化／復合化デバイス部２０８は音声信号の符号化および復号化を行う。切替部２０９はスピーカ２１０に伝送する音声信号のＯＮ／ＯＦＦを行う。切替部２１２はレシーバ２１３に伝送する信号のＯＮ／ＯＦＦを行う。切替部２１４はマイクからの音声信号のＯＮ／ＯＦＦを行う。
減衰部２１１はレシーバ２１３に伝送する信号の信号レベルの調整を行う。
ＰＴＴ２１６が押された場合には、制御部２０１で検出し、切替部２１４をＯＮにすると共に音声送信を開始する。ＰＴＴ２１６が離された場合には、切替部２１４をＯＦＦにすると共に音声送信を停止する。
表示部２１８は、無線端末２００の状態等を表示する。
【００２４】
本発明の一実施例を図２〜図５を用いて説明する。
図３は、本発明の一実施例に係る無線端末のチャネルスキャンを説明するための状態遷移図である。
図３において、本無線端末はプリセット動作（３０１）を行う。プリセット動作では予め設定された通信チャネルをユーザが選択することにより固定のチャネルで待ち受け及び通信を行う。
図２に図示していないＳＣＡＮボタンを押下（３０４）すると、プリセット動作からスキャンモード（３０７）に切り替わり、チャネルスキャン（３０２）を開始する。
１タイムスキャンモードの場合、チャネルスキャン（３０２）により音声通話が行われているチャネルを見つけた場合（３０８）には、スキャンモードを終了しプリセット動作（３０１）へ戻る。この時補足したチャネルでの音声受信動作を継続する。
【００２５】
エンドレススキャンモードの場合、チャネルスキャン（３０２）により音声通話が行われているチャネルを見つけた場合（３０５）には、チャネルモニタ（３０３）となる。チャネルモニタ（３０３）ではチャネルモニタ表示を行い、音声受信動作を行う。
チャネルスキャン（３０２）の状態で、ＳＣＡＮボタンの押下、通話終了、タイムアウトの何れかの状態となった場合（３０５）は、チャネルスキャン（３０２）に戻る。
スキャンモード（３０７）の状態で、Ｅｎｄｌｅｓｓスキャンモードの場合、通話捕捉後にチャネルモニタ（３０３）でチャネルのモニタ表示を行う。
スキャンモード（３０７）の状態で、ＳＣＡＮボタンを長押下（３０９）すると、プリセット動作（３０１）に戻る。
【００２６】
図４は、本発明の一実施例に係る無線端末のチャネルスキャンの動作を説明するためのフローチャートである。
図５は、本発明の一実施例に係る無線端末の表示部に表示内容を説明するための表示図である。
図４において、制御部２０１は、受信開始として、プリセット動作を行い（Ｓ４０１）、Ｓ４０２の処理に進む。
Ｓ４０２ではスキャン（ＳＣＡＮ）ボタン押下の判定を行い、押下されていない（ＮＯ）の場合はＳ４０１の処理に戻り、押下されている（ＹＥＳ）の場合はＳ４０３の処理に進む。
Ｓ４０３ではチャネルスキャン表示を行いＳ４０４の処理に進む。図５（Ａ）は表示部２１８に表示するチャネルスキャン表示図である。
【００２７】
Ｓ４０４では音声通信捕捉を行うためのチャネルスキャン動作を行い、Ｓ４０５の処理に進む。
Ｓ４０５では音声通信捕捉の有無を判定し、音声通信の捕捉ができた場合（ＹＥＳ）はＳ４０７の処理に進み、音声通信の捕捉ができない場合（ＮＯ）はＳ４０６の処理に進む。
Ｓ４０６ではスキャン（ＳＣＡＮ）ボタンの長押しの有無を判定し、長押しがされている場合（ＹＥＳ）はＳ４０１の処理に戻り、長押しがされていない場合（ＮＯ）はＳ４０４の処理に戻る。
Ｓ４０７では受信音声をスピーカ２１０から出力し、Ｓ４０８の処理に進む。
【００２８】
Ｓ４０８ではチャネルスキャンがエンドレススキャンかの判定を行い、エンドレススキャンの場合（ＹＥＳ）はＳ４１０の処理に進み、エンドレススキャンで場合（ＮＯ）はＳ４０９の処理に進む。
エンドレススキャンの場合、ユーザ操作により、例えば移動局のスキャンボタンが押下された場合にはチャネルスキャンを開始する。チャネルスキャンは順次受信部の受信周波数を変えて通話の有無を判定し、通話ありの場合にはスキャンを停止し、チャネルモニタとして受信音声信号を音声符号化／復号化デバイス部２０８で復号してスピーカ２１０から出力する。本状態で受信部が通信の終了（空線や停波）を検出した場合は、再度チャネルスキャンを開始する。
【００２９】
Ｓ４０９では表示部２１８に通信中表示を行い、Ｓ４０１の処理に戻る。
Ｓ４１０ではチャネルモニタ表示を行い、Ｓ４１１の処理に進む。図５（Ｂ）は表示部２１８に表示するチャネルモニタ表示図である。
【００３０】
Ｓ４１１では通信終了の判定を行い、通信終了の場合（ＹＥＳ）はＳ４１７の処理に進み、通信が終了していない場合（ＮＯ）はＳ４１２の処理に進む。
Ｓ４１２ではタイムアウト設定の有無を判定し、設定有りの場合（ＹＥＳ）はＳ４１３の処理に進み、設定無しの場合（ＮＯ）はＳ４１１の処理に戻る。
【００３１】
タイムアウト設定の有りの場合は、通話が終了しなくともタイムアウトが発生したチャネルスキャンを再開する。タイムアウトの有無及び時間は周波数毎に予め設定しておく。チャネルモニタ中は受信している周波数の情報（チャネル名等）を表示し、さらにチャネルモニタ中であることが識別できるように、アイコン等で表示を行う。
１タイムスキャン（１  Ｔｉｍｅ  ＳＣＡＮ）の場合は、ユーザ操作により、例えば移動局のスキャンボタンが押下された場合にはチャネルスキャンを開始する。チャネルスキャンは順次受信部の受信周波数を変えて通話の有無を判定し、通話ありの場合にはスキャンを停止し、受信音声信号を音声符号化／復号化デバイス部２０８で復号してスピーカ２１０から出力する。この時、チャネルスキャンモードから通常のプリセット動作へ復帰する。プリセット動作に復帰しても前述のチャネルでの受信及びスピーカ出力はそのまま継続する。エンドレススキャンを行うか１タイムスキャンを行うかはスキャンを開始する前に予め設定しておく。スキャンリスト毎にエンドレススキャン／1タイムスキャンを設定し、ユーザがスキャンリスト選択する方法でも、エンドレススキャンか１タイムスキャンを直接選択する方法でもよい。
また、ＡＲＩＢ  ＳＴＤ−Ｔ６１では通信相手を特定したセレコール通信が定義されている。
通常のプリセット動作では、自身が通話対象ではないセレコール通信を受信した場合には、他話状態として受信音声はスピーカから出力しない。スキャンによりセレコール通信を捕捉した場合は、自身が通話対象でなくても他話モニタ状態にすることにより受信音声をスピーカ２１０から出力する。
【００３２】
Ｓ４１３では予め設定してある例えば１０秒程度の一定時間を経過したかを判定し、一定時間を経過した場合（ＹＥＳ）はＳ４１７の処理に進み、一定時間を経過していない場合（ＮＯ）はＳ４１４の処理に進む。一定時間はチャネル毎に設定できるようにし、さらにタイムアウトしない設定も可能とする。これによりチャネル毎に重要度を持たせることが可能となる。
Ｓ４１４ではスキャンボタンが短押しの有無を判定し、短押しがされている場合（ＹＥＳ）はＳ４１５の処理に進み、短押しがされていない場合（ＮＯ）はＳ４１１の処理に戻る。
Ｓ４１５ではスキャンボタンの長押しの有無を判定し、長押しがされている場合（ＹＥＳ）はＳ４１６の処理に進み、長押しがされていない場合（ＮＯ）はＳ４１７の処理に進む。
Ｓ４１６では表示部２１８に通信中表示を行い、Ｓ４０１の処理に戻る。
Ｓ４１７では、受信音声を停止させ、Ｓ４０３の処理に戻る。
結果、単押しの場合は、チャネルスキャンを再開し、長押しの場合は、プリセットへの動作へ復帰する。
【００３３】
本発明の前述したチャネルスキャン（図４のＳ４０４）の実施例を図６〜図１２を用いて説明する。
ＡＲＩＢ  ＳＴＤ−Ｔ６１では図６〜図９に示す無線チャネルを用いて基地局通信、直接通信を行う。
図６は本発明の一実施例に係る無線端末の物理無線チャネル構成を説明するための図である。図６の物理無線チャネル構成は、物理無線チャネルと機能チャネルで構成されている。
図７は本発明の一実施例に係る無線端末の通信用チャネル信号フォーマットを説明するための図である。図７の通信用チャネル信号フォーマットは上り／下りで同じである。
図８は本発明の一実施例に係る無線端末のＲＩＣＨ構成例を説明するための図である。図８に示されるように、ＲＩＣＨの構成例が畳込み符号化されて無線チャネル上に配置される。
図９は本発明の一実施例に係る無線端末の同期バーストの信号フォーマットおよびＰＩＣＨ構成例を説明するための図である。図９の同期バーストの信号フォーマットは上り／下りで同じである。
基地局は常に送信し続ける常送基地局と、通信中のみ送信する非常送基地局がある。常送基地局は通信中でない場合、ＲＩＣＨのＭ通信モード識別に空線を設定して送信する。
図１１は、本発明の他の一実施例に係る無線端末の識別情報を説明するための図である。
図１１（Ａ）は基地局と移動局間通信時の通信用チャネルの識別情報である。
図１１（Ｂ）は移動局間直接通信時の通信用チャネルの識別情報である。
【００３４】
図示していないスキャンリストを使用してチャネルスキャンする場合は、チャネルはスキャンリストから昇順に選択していき、リストの最後までスキャンした後は先頭からスキャンしていく。
【００３５】
図１２は、本発明の一実施例に係る無線端末のチャネルスキャンの動作を説明するためのフローチャートである。
２波受信機の場合は基地波受信機、直接波受信機それぞれに図１２のフローチャートを適応する。各受信機のフローチャートにおいて状態「探査中、切替待ち」をテーブルにもち、処理状態に応じて状態を変える。この状態を互いに参照してともに「切替待ち」になったところでチャネルを切替える。これにより基地波と直接波のチャネルを同期させて切替えることができる。例えば基地波の処理の判定で一定時間経過しているが、直接波の処理の判定で一定時間経過していない場合などに効果がある。
【００３６】
図１２では「フレーム受信処理」（Ｓ１２０１）を実施する前に「受信電界が閾値以上」（Ｓ１２０２）を判定している。
これにより受信電界が閾値未満の場合、フレーム受信処理を実施せずに通話なしと判断できるため、ひとつのチャネルをスキャンする時間を短縮できる。
図１２において、制御部２０１は、Ｓ１２０１でチャネル設定を行い、Ｓ１２０２の処理に進む。
Ｓ１２０２では受信電界が予め設定した閾値と比較し、閾値以上（ＹＥＳ）の場合はＳ１２０３の処理に進み、閾値未満（ＮＯ）の場合はＳ１２０１の処理に戻る。
これにより、受信電界が閾値未満の場合はフレーム受信処理を実施せずに通話なしと判断できるため、一つのチャネルをスキャンする時間を短縮できる。
【００３７】
Ｓ１２０３ではフレーム受信処理を行い、Ｓ１２０４の処理に進む。
Ｓ１２０４では信号を受信したかの判定を行い、受信した場合（ＹＥＳ）はＳ１２０５の処理に進み、受信していない場合（ＮＯ）はＳ１２０９の処理に進む。
Ｓ１２０５では音声の判定処理を行い、Ｓ１２０６の処理に進む。
Ｓ１２０５の音声判定処理では受信ＲＩＣＨからチャネル動作状態を特定し判定を実施する。
チャネル動作状態は図１１の判定表を用いて決定する。
図１１（Ａ）の１．同期バースト送出中の場合は「保留」と判定する。
図１１（Ａ）の２．音声通信中の場合は「音声」と判定する。
図１１（Ａ）の３．空線信号送出中は「音声以外」と判定する。
図１１（Ａ）の４．ＢＵＳＹ信号送出中は「音声以外」と判定する。
同様に、図１１（Ｂ）の１．同期バースト送出中の場合は「保留」と判定する。
図１１（Ｂ）の２．音声通信中の場合は「音声」と判定する。
また、システムにおいて同期バーストの信号ＰＩＣＨの未定義領域に通信チャネルの識別情報を割当て、その識別情報を使ってチャネル動作状態を特定し判定することも可能とする。
これにより、同期バーストから「音声」「音声以外」判定ができるようになり、チャネルスキャン効率を上げることができる。
【００３８】
Ｓ１２０６では受信した信号が音声であるか否かの判定を行い、音声である場合（ＹＥＳ）は処理を終了し、音声ではない場合（ＮＯ）はＳ１２０７の処理に進む。
Ｓ１２０７では処理が保留中の有無を判定し、保留中の場合（ＹＥＳ）はＳ１２１０の処理に進み、保留中でない場合（ＮＯ）Ｓ１２０８の処理に進む。
【００３９】
Ｓ１２０８では受信した信号が音声信号以外かを判定し、音声信号以外の場合（ＹＥＳ）はＳ１２０１の処理に戻り、音声信号の場合（ＮＯ）はＳ１２０９の処理に進む。
Ｓ１２０９ではＳ１２０１のチャネル設定をしてから予め設定している所定の一定時間が経過しているかを判定し、所定の一定時間が経過していない場合（ＮＯ）はＳ１２０３の処理に戻り、所定の一定時間が経過した場合（ＹＥＳ）はＳ１２０１の処理に戻る。
【００４０】
Ｓ１２１０ではフレーム受信処理を行い、Ｓ１２１１の処理に進む。
Ｓ１２１１では信号を受信したかの判定を行い、受信した場合（ＹＥＳ）はＳ１２１２の処理に進み、受信していない場合（ＮＯ）はＳ１２１５の処理に進む。
Ｓ１２１２では音声の判定処理を行い、Ｓ１２１３の処理に進む。
【００４１】
Ｓ１２１３では受信した信号が音声での有無を判定し、音声である場合（ＹＥＳ）は処理を終了し、音声ではない場合（ＮＯ）はＳ１２１４の処理に進む。
Ｓ１２１４では受信した信号が音声信号以外かを判定し、音声信号以外の場合（ＹＥＳ）はＳ１２０１の処理に戻り、音声信号の場合（ＮＯ）はＳ１２１５の処理に進む。
Ｓ１２１５ではＳ１２０７で保留と判定してから予め設定している所定の一定時間が経過しているかを判定し、所定の一定時間が経過していない場合（ＮＯ）はＳ１２１０の処理に戻り、所定の一定時間が経過した場合（ＹＥＳ）はＳ１２０１の処理に戻る。
なお、Ｓ１２０９の所定の一定時間と、Ｓ１２１５の所定の一定時間は同じでも異なっていても良い。
図１０は図１２のフローチャートの動作を状態遷移図としてものである。
【００４２】
本発明によれば、移動局が置かれる環境（常送基地局傘下、非常送基地局傘下、圏外など）に関わらずチャネルスキャンすることが可能となる。
【００４３】
また、本発明によれば、無線端末が複数の周波数で運用されている地域において、スキャンにより捕捉した通話が終了した時点でスキャンを再開することにより、同地域で異なる周波数で通話が行われた場合でも再度スキャンによる通話のモニタが可能となる。さらに定期的な通信が行われることが予想される周波数にはタイムアウト時間を設け通話の終了を待たずにスキャンを再開するため、他の周波数で行われる通話を聞き逃す可能性が低くなる。
【００４４】
以上本発明について詳細に説明したが、本発明は、ここに記載された無線端末に限定されるものではなく、上記以外の無線端末に広く適用することができることは言うまでもない。
【符号の説明】
【００４５】
２００：無線端末、２０１：制御部、２０２：ＤＳＰ部、２０３：送信部、２０４，２０５：受信部、２０６：共用機、２０７：アンテナ、２０８：音声符号化／復号化デバイス部、２０９，２１２，２１４：切替部、２１０：スピーカ、２１１：減衰部、２１３：レシーバ、２１５：マイク、２１６：ＰＴＴ、２１７：ハンドセット、２１８：表示部。
【図１】
2014093596.tif 000003
【図２】
2014093596.tif 000004
【図３】
2014093596.tif 000005
【図４】
2014093596.tif 000006
【図５】
2014093596.tif 000007
【図６】
2014093596.tif 000008
【図７】
2014093596.tif 000009
【図８】
2014093596.tif 000010
【図９】
2014093596.tif 000011
【図１０】
2014093596.tif 000012
【図１１】
2014093596.tif 000013
【図１２】
2014093596.tif 000014